(57)【特許請求の範囲】
【請求項１】
売場の平面図と、前記売場に配置されて商品が陳列されるゴンドラの前記平面図に対する大きさ及び位置と、前記ゴンドラに割り当てられたゴンドラ番号と該ゴンドラに陳列される商品の属する部門または商品群とが関連付けられた相関情報とが入力される入力処理手段と、
前記平面図を均等なセルから成る格子状に分割し、前記ゴンドラが配置されていない前記売場のフロア部分上の該セルをフロアセルとし、前記ゴンドラ上の該セルをゴンドラセルとする分割処理手段と、
複数の前記ゴンドラから所定の該ゴンドラを選択し、該ゴンドラ番号を基準として、該ゴンドラの前記平面図上における上方向、下方向、右方向、または左方向のいずれかの方向に存在する少なくとも１つの前記フロアセル対して、該ゴンドラの前記ゴンドラ番号と該ゴンドラからの距離を示す距離番号とをナンバリングするナンバリング処理手段と、
全ての前記ゴンドラについて、前記ナンバリング処理手段が、該前記ゴンドラのいずれの方向に存在する前記フロアセルに対してナンバリングするかを示すナンバリング方向が設定される方向設定処理手段と、を備え、
前記ナンバリング処理手段は、
前記ゴンドラを選択すると、該ゴンドラについてのナンバリングを開始し、該ナンバリングは、該ゴンドラに隣接する前記フロアセルの中から、該ゴンドラに設定された前記ナンバリング方向に隣接する前記フロアセルを選択し、該フロアセルに対して、該ゴンドラの前記ゴンドラ番号と前記距離番号をナンバリングし、該フロアセルの該ナンバリング方向にさらに該フロアセルが隣接しているとき、この隣接している該フロアセルに対して、該ゴンドラの前記ゴンドラ番号と既にナンバリングした該距離番号より大きな値の距離番号をナンバリングすることを繰り返し、
選択された前記ゴンドラについて、該ナンバリング方向に存在する該フロアセルにナンバリングを繰り返すことによって、前記平面図上に前記フロアセルが存在しなくなったとき、次にナンバリングする前記セルが、前記フロアセルでなく前記ゴンドラセルであるとき、または、既に前記フロアセルに前記距離番号がナンバリングされている場合であって、新たにナンバリングしようとする該距離番号が、既にナンバリングされている該距離番号と同一か大きいとき、該ゴンドラについてナンバリングを終了し、
新たにナンバリングする前記フロアセルに既に前記距離番号がナンバリングされているとき、既にナンバリングされている前記距離番号より、新たにナンバリングする該距離番号が小さければ、既にナンバリングされている前記ゴンドラ番号と該距離番号に換えて新たに該ゴンドラ番号と該距離番号をナンバリングし、
全ての前記ゴンドラについてナンバリングを実行し、
前記ナンバリング処理手段が終了すると、同一の前記ゴンドラ番号がナンバリングされている前記フロアセルと前記ゴンドラセルの面積の合計を前記商品が消費者の購買行動に影響を与えることができる商品影響面積として算出する面積算出処理手段を、さらに備えたことを特徴とした商品影響範囲算出システム。
【請求項２】
前記部門毎または前記商品群毎に売上金額を集計する集計処理手段と、
前記売上金額を前記部門または前記商品群と関連付けられた前記商品影響面積で除することによって、該部門または該商品群の該商品影響面積に対する売上効率を算出する効率算出処理手段と、をさらに備えたことを特徴とした請求項１に記載の商品影響範囲算出システム。
【発明の詳細な説明】
【技術分野】
【０００１】
本発明は、ゴンドラに陳列された商品が消費者の購買行動に影響を与えることができるエリアを算出するシステムに関する。
【背景技術】
【０００２】
従来、量販店やホームセンターなどの売場において、商品の売上を算出するシステムとして、ＰＯＳシステムが用いられている。店舗管理者は、ＰＯＳシステムを利用することにより、商品毎の売上金額の他に、商品が属する部門毎の売上金額、売場における時間帯別の売上金額、販売された商品数などを知ることができる。しかし、従来のＰＯＳシステムによっては、店舗管理者は、所定のゴンドラが消費者の購買に影響を与えることができるエリアを特定できなかったため、売場面積が有効に使用されているか否かを知ることができなかった。
【０００３】
そこで、例えば、店舗の設計支援システムは、ユーザによって売場の平面図と、商品が陳列される陳列棚の位置と、客の移動した客動線とが入力され、これら入力されたデータに基づいて、売場のレイアウトを検討することができる技術が知られている（例えば、特許文献１参照）。また、客の動線解析方向として、ＰＯＳデータから、一人の客が購入した複数の商品を特定し、これらの商品と、これらの商品が陳列されている店舗内の位置から、客の移動経路を推定する手段が知られている（例えば、特許文献２参照）。
【０００４】
しかしながら、特許文献１に示される技術においては、ユーザは、店舗の設計支援システムを利用することによって、売場のレイアウトを決定する上で参考とすることができるデータを得ることができるが、所定のゴンドラが消費者の購買に影響を与えることができるエリアを特定できなかった。また、特許文献２に示される技術においては、売場面積が考慮されることなく、ＰＯＳデータに基づいて客の移動経路を推定するものであるため、ユーザは、影響範囲と所定のゴンドラに陳列されている商品の売上金額との関係を知ることができなかった。
【特許文献１】特開平８−１６６９７４号公報
【特許文献２】特開平５−４６５９１号公報
【発明の開示】
【発明が解決しようとする課題】
【０００５】
本発明は、上記の問題を解決するためになされたものであり、店舗管理者によって入力された売場に配置されて商品が陳列されるゴンドラの大きさ及び位置と、売場の平面図と、ゴンドラに陳列される商品の属性と、商品の売上金額に基づいて、店舗管理者が、容易に所定のゴンドラが消費者の購買に影響を与えることができるエリアを知ることができるシステムを提供することを目的とする。
【課題を解決するための手段】
【０００６】
上記目的を達成するために請求項１の発明は、売場の平面図と、売場に配置されて商品が陳列されるゴンドラの平面図に対する大きさ及び位置と、ゴンドラに割り当てられたゴンドラ番号とゴンドラに陳列される商品の属する部門または商品群とが関連付けられた相関情報とが入力される入力処理手段と、平面図を均等なセルから成る格子状に分割し、ゴンドラが配置されていない売場のフロア部分上のセルをフロアセルとし、ゴンドラ上のセルをゴンドラセルとする分割処理手段と、複数のゴンドラから所定のゴンドラを選択し、ゴンドラ番号を基準として、ゴンドラの平面図上における上方向、下方向、右方向、または左方向のいずれかの方向に存在する少なくとも１つのフロアセル対して、ゴンドラのゴンドラ番号とゴンドラからの距離を示す距離番号とをナンバリングするナンバリング処理手段と、全てのゴンドラについて、ナンバリング処理手段が、ゴンドラのいずれの方向に存在するフロアセルに対してナンバリングするかを示すナンバリング方向が設定される方向設定処理手段と、を備え、ナンバリング処理手段は、ゴンドラを選択すると、ゴンドラについてのナンバリングを開始し、ナンバリングは、ゴンドラに隣接するフロアセルの中から、ゴンドラに設定されたナンバリング方向に隣接するフロアセルを選択し、フロアセルに対して、ゴンドラのゴンドラ番号と距離番号をナンバリングし、フロアセルのナンバリング方向にさらにフロアセルが隣接しているとき、この隣接しているフロアセルに対して、ゴンドラのゴンドラ番号と既にナンバリングした距離番号より大きな値の距離番号をナンバリングすることを繰り返し、選択されたゴンドラについて、ナンバリング方向に存在するフロアセルにナンバリングを繰り返すことによって、平面図上にフロアセルが存在しなくなったとき、次にナンバリングするセルが、フロアセルでなくゴンドラセルであるとき、または、既にフロアセルに距離番号がナンバリングされている場合であって、新たにナンバリングしようとする距離番号が、既にナンバリングされている距離番号と同一か大きいとき、ゴンドラについてナンバリングを終了し、新たにナンバリングするフロアセルに既に距離番号がナンバリングされているとき、既にナンバリングされている距離番号より、新たにナンバリングする距離番号が小さければ、既にナンバリングされているゴンドラ番号と距離番号に換えて新たにゴンドラ番号と距離番号をナンバリングし、全てのゴンドラについてナンバリングを実行し、ナンバリング処理手段が終了すると、同一のゴンドラ番号がナンバリングされているフロアセルとゴンドラセルの面積の合計を商品が消費者の購買行動に影響を与えることができる商品影響面積として算出する面積算出処理手段を、さらに備えたようにしたものである。
【０００７】
また、請求項２の発明は、請求項１の商品影響範囲算出システムにおいて、部門毎または商品群毎に売上金額を集計する集計処理手段と、売上金額を部門または商品群と関連付けられた商品影響面積で除することによって、部門または商品群の商品影響面積に対する売上効率を算出する効率算出処理手段と、をさらに備えたようにしたものである。
【発明の効果】
【０００８】
請求項１の発明によれば、平面図は、分割処理手段によって均等な大きさのフロアセルとゴンドラセルに分割され、フロアセルとゴンドラセルには、ナンバリング処理手段によって、特定のゴンドラが属するゴンドラのゴンドラ番号と、このゴンドラからの距離を示す距離番号とがナンバリングされる。さらに、面積算出処理手段によって、同一のゴンドラ番号がナンバリングされているフロアセルとゴンドラセルの面積との合計が商品影響面積として算出される。これにより、店舗管理者は、特定のゴンドラが消費者の購買に影響を与えることができる影響範囲を商品影響面積として容易に知ることができる。
【０００９】
請求項２の発明によれば、所定の属性の商品についての売上金額が、効率算出処理手段によって、所定の部門または商品群と関連付けられたゴンドラの商品影響面積で除されることにより、売場の基本面積当たりの商品の売上が売上効率として算出される。これにより、店舗管理者は、容易に売場面積と商品の売上金額との関係を知ることができる。
【発明を実施するための最良の形態】
【００１０】
以下、本発明の実施形態に係る商品影響範囲算出システムについて、図面を参照して説明する。図１は、本発明の実施形態に係る商品影響範囲算出システムを備えた店舗システムの構成を示す。店舗システム１は、量販店やホームセンターに設置され、商品販売を管理するＰＯＳレジＰ１乃至ＰＯＳレジＰ３を備え、ＰＯＳレジＰ１乃至ＰＯＳレジＰ３とＬＡＮ２で接続され、商品毎の売上金額を計算して売上金額データベース４として保持するＰＯＳサーバ３と、ＰＯＳサーバ３にＬＡＮ２で接続されており、売場の平面図と商品が陳列されるゴンドラの位置から、商品が消費者の購買行動に影響を及ぼす範囲を算出する商品影響範囲算出システム５がインストールされているコンピュータ６とを備える。
【００１１】
次に、本実施形態に係る商品影響範囲算出システム５の動作について説明する。図２は、本実施形態に係る商品影響範囲算出システム５の動作フローを示す。コンピュータ６によって商品影響範囲算出システム５が実行されると、商品影響範囲算出システム５は、入力処理手段に入力処理を実行させる（Ｓ１）。ユーザは、入力処理が実行されると、キーボードやマウスを介して、売場の平面図７と、ゴンドラ８の平面図７に対する大きさ及び位置と、それぞれのゴンドラ８に割り当てられたゴンドラ番号とゴンドラ８に陳列される商品の属性とが関連付けられた相関情報９を入力する。ここで、商品の属性とは、例えば、商品が属する部門、または商品が属する商品群などである。
【００１２】
ユーザによって、平面図７、ゴンドラ８の大きさ及び位置、及び相関情報９が入力されると、商品影響範囲算出システム５は、分割処理手段に平面図７を均等な大きさのセルに分割する分割処理を実行させる（Ｓ２）。分割処理手段によって、平面図７は、格子状に分割される。次に、商品影響範囲算出システム５は、方向設定処理手段に、ユーザからナンバリング方向が設定される方向設定処理を実行させる（Ｓ３）。ユーザは、方向設定処理において、ゴンドラ８を基準として、平面図７上の上方向、下方向、右方向、または左方向のいずれの方向のセルにゴンドラ番号を割り当てるかを決定するナンバリング方向を設定する。ここで、全てのゴンドラ８は、ユーザによってナンバリング方向が設定される。
【００１３】
次に、商品影響範囲算出システム５は、ナンバリング処理手段に、方向設定処理で設定されたナンバリング方向に基づいて、所定のセルに基準となるゴンドラ８のゴンドラ番号と、このゴンドラ８からの距離を示す距離番号とをナンバリングするナンバリング処理を実行させる（Ｓ４）。ナンバリング処理手段は、基準となるゴンドラ８を選択し、このゴンドラ８に設定されたナンバリング方向に存在するセルにゴンドラ番号と距離番号とをナンバリングする。例えば、ナンバリング処理手段が選択したゴンドラ８のナンバリング方向が右のとき、ナンバリング処理手段は、このゴンドラ８の右隣のセルにゴンドラ番号と距離番号とを入力する。ナンバリング処理手段は、基準となるゴンドラ８を順番に選択してナンバリングを繰り返すことにより、平面図７上の全てのセルに対してゴンドラ番号と距離番号とをナンバリングする。
【００１４】
次に、商品影響範囲算出システム５は、面積算出処理手段に、同一のゴンドラ番号がナンバリングされているセルの面積を合計した値を商品影響面積として算出する面積算出処理を実行させる（Ｓ５）。ここで、商品影響面積とは、ゴンドラ８に陳列された商品が、消費者に視認されることによって、消費者の購買行動に影響を及ぼすことができる面積である。店舗管理者は、商品影響面積を知ることによって、どのゴンドラ８に陳列された商品が、どれだけの範囲にわたって消費者の購買行動に影響を与えることができるかを知ることができる。なお、商品影響範囲算出システム５は、ユーザによって既にナンバリングされたセルが指定されることにより、この指定されたセルにナンバリングされているゴンドラ番号と距離番号を削除することができるものとする。ゴンドラ番号と距離番号とが削除されるセルがユーザによって指定されると、商品影響範囲算出システム５は、面積算出処理手段に、この指定された除いたセルを対象として面積算出処理を実行させる。これにより、ユーザは、例えば、ＰＯＳレジＰ１乃至ＰＯＳレジＰ３が配置されているセルを商品影響面積から除外することが可能となる。
【００１５】
面積算出処理が終了すると、商品影響範囲算出システム５は、例えば、ＰＯＳサーバ３が保持する売上金額データベース４から全ての商品についての売上金額を読み込む（Ｓ６）。次に、商品影響範囲算出システム５は、効率算出処理手段に、特定のゴンドラ８と関連付けられた商品の売上金額を、このゴンドラ８のゴンドラ番号に基づいて算出された商品影響面積で除することによって、商品の商品影響面積に対する売上効率を算出する効率算出処理を実行させる（Ｓ７）。店舗管理者は、商品と商品影響面積との関係を知ることができるので、売場面積を有効に利用することができる。
【００１６】
次に、分割処理について図３を参照して説明する。図３（ａ）（ｂ）は、分割処理手段によって分割処理が実行された前後の平面図７を示す。図３（ａ）は、入力処理によって入力されたデータに基づいて、新たに作成された平面図７を示す。平面図７には、ゴンドラ８が配置されており、ゴンドラ８が配置されている部分とゴンドラ８が配置されていないフロア部分とが示されている。分割処理手段は、平面図７を均等なセルに分割する。図３（ｂ）は、分割処理手段によって格子状に分割された後の平面図７を示す。ここで、ゴンドラ８が配置されている部分に作成されたセルをゴンドラセルＧＳとし、ゴンドラ８が配置されていないフロア部分に作成されたセルとフロアセルＦＳとする。また、各セルの大きさは、ユーザが任意に設定できるものとする。
【００１７】
次に、ナンバリング処理について図４を参照して説明する。図４（ａ）乃至（ｄ）は、本実施形態に係るフロアセルＦＳに対してナンバリング処理手段がナンバリング処理を実行した状態を示す。図４（ａ）乃至（ｄ）は、ゴンドラ８ａとゴンドラ８ｂの間に存在するフロアセルＦＳがナンバリングされる状態を示す。ゴンドラ８ａには、商品として砂糖と塩が陳列されており、ゴンドラ８ｂには、商品としてラーメンが陳列されている。ゴンドラ８ａのゴンドラ番号は、例えば、「１０５６１」であり、方向設定処理手段によって設定されたナンバリング方向は「右」である。また、ゴンドラ８ｂのゴンドラ番号は、例えば、「１０５７７」であり、方向設定処理手段によって設定されたナンバリング方向は「左」である。ここで、ゴンドラセルＧＳ及びフロアセルＦＳには、上段にゴンドラ番号が、下段に距離番号がそれぞれナンバリングされる。なお、図４（ａ）乃至（ｄ）においては、フロアセルＦＳに、先ずゴンドラ８ａのゴンドラ番号がナンバリングされ、その後、ゴンドラ８ｂのゴンドラ番号がナンバリングされるものとする。
【００１８】
図４（ａ）を参照して、ナンバリング処理手段は、ゴンドラ８ａ及ゴンドラ８ｂについてのゴンドラセルＧＳに対して、それぞれのゴンドラ番号と距離番号として「１」をナンバリングする。ここで、距離番号の「１」は、ゴンドラ８が位置しているセルであることを意味する。ナンバリング処理手段によって、ゴンドラ８ａ及ゴンドラ８ｂにゴンドラ番号がナンバリングされると、店舗管理者は、相関情報９からゴンドラ８ａ及ゴンドラ８ｂに陳列されている商品を知ることができる。ナンバリング処理手段は、ゴンドラ８ａのナンバリング方向を参照して、ナンバリング方向が「右」であることを取得し、ゴンドラ８ａのゴンドラセルＧＳの右隣のフロアセルＦＳにゴンドラ番号「１０５６１」とゴンドラセルＧＳの隣のセルであることを示す距離番号「２」とをナンバリングする。
【００１９】
続いて、ナンバリング処理手段は、距離番号「２」をナンバリングしたフロアセルＦＳの右隣のフロアセルＦＳにゴンドラ番号「１０５６１」とゴンドラセルＧＳからセル２つ分離れていること示す距離番号「３」をナンバリングする。ナンバリング処理手段は、同様の処理を繰り返すことにより、ゴンドラ８ａのゴンドラセルＧＳの右隣のフロアセルＦＳから右方向に存在する各フロアセルＦＳに対して、同一のゴンドラ番号をナンバリングするとともに、距離番号として自然数を昇順にナンバリングする。ナンバリング処理手段は、ゴンドラ８ａについて、ナンバリングするフロアセルＦＳが存在しなくなるまで、ナンバリングを繰り返す。
【００２０】
図４（ｂ）を参照して、ゴンドラ番号「１０５６１」で距離番号「７」がナンバリングされたフロアセルＦＳの右隣のセルは、フロアセルＦＳではなくゴンドラセルＧＳであるため、ナンバリング処理手段は、ナンバリングするフロアセルＦＳが存在しないと判断して、ゴンドラ８ａについてのナンバリングを終了する。ここで、ナンバリングするフロアセルＦＳが存在しない状態とは、新たにナンバリングするセルがフロアセルＦＳでなくゴンドラセルＧＳである場合や、ナンバリングしたフロアセルＦＳが平面図７の最も端に存在する場合である。なお、ゴンドラ８が、ゴンドラセルＧＳ及びフロアセルＦＳに対して斜めに配置されているとき、ナンバリング処理手段は、セルの一部にゴンドラ８が配置されていれば、このセルをゴンドラセルＧＳとして判断して処理を実行する。
【００２１】
次に、図４（ｃ）を参照して、ナンバリング処理手段は、ゴンドラ８ａについてのナンバリングを終了すると、ゴンドラ８ｂを選択し、ゴンドラ８ｂのナンバリング方向を参照して、ナンバリング方向が「左」であることを取得する。続いて、ナンバリング処理手段は、ゴンドラ８ｂのゴンドラセルＧＳの左隣のフロアセルＦＳにゴンドラ番号「１０５７７」とゴンドラセルＧＳの隣のセルであることを示す距離番号「２」とをナンバリングする。このとき、ナンバリング処理手段は、既に、ゴンドラセルＧＳの左隣のフロアセルＦＳにゴンドラ番号「１０５６１」で距離番号「７」がナンバリングされているため、新たにナンバリングする距離番号「２」と既にナンバリングされている距離番号「７」との大きさを比較する。新たにナンバリングする距離番号が、既にナンバリングされている距離番号より小さいとき、ナンバリング処理手段は、フロアセルＦＳに対して、既にナンバリングされているゴンドラ番号と距離番号に替えて、新たにゴンドラ番号と距離番号をナンバリングする。よって、ナンバリング処理は、ゴンドラ番号「１０５６１」と距離番号「７」がナンバリングされているフロアセルＦＳに、上書きすることによってゴンドラ番号「１０５７７」と距離番号「２」をナンバリングする。
【００２２】
次に、図４（ｄ）を参照して、ナンバリング処理手段が、フロアセルＦＳにゴンドラ番号「１０５７７」とゴンドラ８ｂのゴンドラセルＧＳからセル３つ分離れていること示す距離番号「４」をナンバリングした後の状態について説明する。ナンバリング処理手段は、ゴンドラ番号「１０５７７」と距離番号「４」をナンバリングした左隣のフロアセルＦＳにナンバリングするために、既にナンバリングされているフロアセルＦＳの距離番号「４」と新たにナンバリングする距離番号「５」の大きさを比較する。ここで、新たにナンバリングする距離番号「５」は、既にナンバリングされている距離番号「４」より大きいので、ナンバリング処理手段は、ゴンドラ８ｂについてのフロアセルＦＳに対するナンバリングを終了する。このように、ナンバリング処理手段が、ゴンドラ８ａ及びゴンドラ８ｂについて、フロアセルＦＳに対してナンバリングすることにより、フロアセルＦＳには、ゴンドラ８ａ又はゴンドラ８ｂのゴンドラ番号がナンバリングされる。ここで、同一のゴンドラ番号がナンバリングされたフロアセルＦＳ及びゴンドラセルＧＳを、商品が消費者の購買行動に影響を与えることができる範囲とする。これにより、店舗管理者は、特定の商品が消費者の購買行動に影響を与えることができる範囲を知ることができる。
【００２３】
次に、ゴンドラ８ｃについての上方向へのナンバリング処理について図５を参照して説明する。図５（ａ）乃至（ｃ）は、本実施形態に係るフロアセルＦＳに対してナンバリング処理手段がナンバリング処理を実行した状態を示す。図５（ａ）乃至（ｃ）は、ゴンドラ８ｃとゴンドラ８ｄの近傍に存在するフロアセルＦＳがナンバリングされる状態を示す。ここで、ゴンドラ８ｃのゴンドラ番号は、例えば、「１０５６０」であり、ゴンドラ８ｄのゴンドラ番号は、例えば、「１０５５９」であり、ゴンドラ８ｃのナンバリング方向は「上」である。図５（ａ）を参照して、既に、フロアセルＦＳには、ナンバリング処理手段が、ゴンドラ８ｃに対して右方向に、ゴンドラ８ｄに対して下方向にナンバリング処理を行ったことにより、ゴンドラ番号「１０５６０」またはゴンドラ番号「１０５５９」と距離番号がナンバリングされている。ここで、ナンバリング処理手段は、ゴンドラ８ｃを選択し、ゴンドラ８ｃのナンバリング方向を参照して、ナンバリング方向が「上」であることを取得するものとする。
【００２４】
次に、ナンバリング処理手段は、ゴンドラ８ｃのゴンドラセルＧＳの上側に隣接するフロアセルＦＳにゴンドラ番号「１０５６０」とゴンドラセルＧＳの隣のセルであることを示す距離番号「２」とをナンバリングする。このとき、ナンバリング処理手段は、既に、ゴンドラセルＧＳの上側に隣接するフロアセルＦＳにゴンドラ番号「１０５５９」で距離番号「５」がナンバリングされているため、新たにナンバリングする距離番号「２」と既にナンバリングされている距離番号「５」との大きさを比較する。新たにナンバリングする距離番号が、既にナンバリングされている距離番号より小さいため、ナンバリング処理手段は、フロアセルＦＳに対して、既にナンバリングされているゴンドラ番号と距離番号に替えて、新たにゴンドラ番号と距離番号を上書きすることによってナンバリングする。同様に、ナンバリング処理手段は、上書きしたフロアセルＦＳの上側に隣接し、ゴンドラ番号「１０５５９」で距離番号「４」がナンバリングされているフロアセルＦＳに対して、ゴンドラ番号「１０５６０」と距離番号「３」を上書きすることによりナンバリングする。
【００２５】
次に、図５（ｂ）を参照して、ナンバリング処理手段が、既にナンバリングされているフロアセルＦＳを基準とし、この基準としたフロアセルＦＳの上方向のフロアセルＦＳにナンバリングを行う状態について説明する。ナンバリング処理手段は、既にナンバリングされているフロアセルＦＳを選択し、この選択したフロアセルＦＳにナンバリングされているゴンドラ番号を取得する。ここで、ナンバリング処理手段が選択するフロアセルＦＳであって、ゴンドラ番号「１０５６０」と距離番号「２」がナンバリングされているフロアセルＦＳをフロアセルＦＳ１とし、フロアセルＦＳ１の上側に隣接しゴンドラ番号「１０５５９」と距離番号「５」がナンバリングされているフロアセルＦＳをフロアセルＦＳ２とする。ナンバリング処理手段は、選択したフロアセルＦＳ１にナンバリングされたゴンドラ番号からゴンドラ８ｃを特定することによってゴンドラ８ｃのナンバリング方向が「上」であることを取得する。
【００２６】
続いて、ナンバリング処理手段は、フロアセルＦＳ１の上側に隣接するフロアセルＦＳ２にゴンドラ番号「１０５６０」と距離番号「２」がナンバリングされたフロアセルＦＳ１の隣のセルであることを示す距離番号「３」とをナンバリングする。このとき、ナンバリング処理手段は、既に、フロアセルＦＳ２にゴンドラ番号「１０５５９」で距離番号「５」がナンバリングされているため、新たにナンバリングする距離番号「３」と既にナンバリングされている距離番号「５」との大きさを比較する。新たにナンバリングする距離番号が、既にナンバリングされている距離番号より小さいため、ナンバリング処理手段は、フロアセルＦＳ２に対して、既にナンバリングされているゴンドラ番号と距離番号に替えて、新たにゴンドラ番号と距離番号を上書きすることによってナンバリングする。さらに、ナンバリング処理手段は、フロアセルＦＳ１の右隣のフロアセルＦＳ３と、フロアセルＦＳ３の右隣のフロアセルＦＳ４についても、フロアセルＦＳ１と同様の処理を行う。図５（ｃ）は、ナンバリング処理手段が、ゴンドラ８ｃ、フロアセルＦＳ１、フロアセルＦＳ３、及びフロアセルＦＳ４に対してナンバリングを行った後の状態を示す。ナンバリング処理手段は、ゴンドラ８ｃだけでなく、既にナンバリングしたフロアセルＦＳを基準としてナンバリング処理を行う。これにより、店舗管理者は、特定の商品が消費者の購買行動に影響を与えることができる範囲を知ることができる。
【００２７】
図６は、本実施形態に係るナンバリング処理が実行された後の平面図７を示す。エリアＡは、ナンバリング処理手段によって、図４におけるゴンドラ８ａのゴンドラ番号がナンバリングされたゴンドラセルＧＳとフロアセルＦＳの範囲である。平面図７は、ナンバリング処理手段によってナンバリング処理が実行されると、全てのゴンドラセルＧＳ及びフロアセルＦＳにゴンドラ番号がナンバリングされる。これにより、店舗管理者は、売場全体について、売場のどのエリアに存在している消費者がどのゴンドラ８に陳列されている商品の影響を受けているかを知ることができる。
【００２８】
商品影響範囲算出システム５は、ナンバリング処理手段にナンバリング処理を実行させると、続いて面積算出処理手段に面積算出処理を実行させる。面積算出処理手段は、同一のゴンドラ番号がナンバリングされたゴンドラセルＧＳ及びフロアセルＦＳの面積の合計を商品影響面積として算出する。図６において、１つのゴンドラセルＧＳ及びフロアセルＦＳの面積は、例えば、０．２５ｍ2とする。エリアＡは、ゴンドラ番号「１０５６１」がナンバリングされた４個のゴンドラセルＧＳと１２個のフロアセルＦＳから成る。そこで、面積算出処理手段は、エリアＡの商品影響面積を４ｍ2と算出する。商品影響範囲算出システム５は、面積算出処理手段に商品影響面積を算出させると、続いて効率算出処理手段に効率算出処理を実行させる。ここで、ゴンドラ番号「１０５６１」と関連付けられた商品群「砂糖・塩」の一日の売上金額が、例えば、１０，０００円であるとき、効率算出処理手段は、売上金額の１０，０００円を商品影響面積の４ｍ2で除することにより、商品群「砂糖・塩」の商品影響面積１ｍ2あたりの売上金額を売上効率として算出する。ここでの商品群「砂糖・塩」の一日あたりの売上効率は２，５００円となる。店舗管理者は、商品の属性毎の売上効率を参照することにより、商品の属性毎の売上金額だけでなく、商品影響面積１ｍ2あたりの売上金額を知ることができるため、有効に売場面積を活用することができる。
【００２９】
このように、本実施形態においては、商品影響範囲算出システム５が、分割処理手段及びナンバリング処理手段に分割処理とナンバリング処理を実行させることにより、ゴンドラセルＧＳ及びフロアセルＦＳが平面図７上に作成され、それぞれのゴンドラセルＧＳ及びフロアセルＦＳには、ゴンドラ番号がナンバリングされる。続いて、同一のゴンドラ番号がナンバリングされたゴンドラセルＧＳ及びフロアセルＦＳの合計面積は、面積算出処理手段よって商品影響面積として算出される。さらに、特定の商品の属性に関連した商品影響面積１ｍ2あたりの売上金額は、効率算出処理手段によって、売上効率として算出される。
【００３０】
これにより、店舗管理者は、ゴンドラ８に陳列されているそれぞれの商品について、消費者の購買行動に影響を与えることができるエリアを知ることができる。また、店舗管理者は、売上金額と商品影響面積との関係を売上効率によって知ることができるため、ゴンドラ８に陳列される商品、またはゴンドラ８の配置を変更することによって、売場面積を有効に活用することができる。
【００３１】
なお、本発明は、上記実施形態の構成に限られず、種々の変形が可能であり、本実施形態の入力処理手段は、例えば、平面図７、ゴンドラ８の大きさ及び位置、及び相関情報９が、ユーザによって入力される構成ではなく、例えば、平面図７、ゴンドラ８の大きさ及び位置、及び相関情報９が、コンピュータ６やＰＯＳサーバ３が保持するデータから自動的に入力される構成であっても構わない。また、ナンバリング処理手段は、フロアセルＦＳに距離番号として自然数をナンバリングする構成ではなく、ナンバリングされる自然数に、それぞれゴンドラ８に対して予め設定された重み係数を乗じた値をナンバリングする構成であっても構わない。
【図面の簡単な説明】
【００３２】
【図１】本発明の実施形態に係る商品影響範囲算出システムを備えた店舗システムの構成図。
【図２】本実施形態に係る商品影響範囲算出システムの動作を示すフローチャート。
【図３】（ａ）（ｂ）は本実施形態に係る分割処理手段によって分割処理が実行された前後の平面図。
【図４】（ａ）乃至（ｄ）は本実施形態に係るナンバリング処理手段によってナンバリング処理が実行された状態図。
【図５】（ａ）乃至（ｃ）は本実施形態に係るナンバリング処理手段によってナンバリング処理が実行された状態図。
【図６】本実施形態に係るナンバリング処理手段によってナンバリング処理が実行された後の平面図。
【符号の説明】
【００３３】
４  売上金額データベース（売上金額）
５  商品影響範囲算出システム
６  コンピュータ
７  平面図
８  ゴンドラ
８ａ  ゴンドラ
８ｂ  ゴンドラ
８ｃ  ゴンドラ
８ｄ  ゴンドラ
９  相関情報
ＧＳ  ゴンドラセル
ＦＳ  フロアセル
ＦＳ１  フロアセル
ＦＳ２  フロアセル
ＦＳ３  フロアセル
ＦＳ４  フロアセル
【図１】
0004478176.tif 000002
【図２】
0004478176.tif 000003
【図３】
0004478176.tif 000004
【図４】
0004478176.tif 000005
【図５】
0004478176.tif 000006
【図６】
0004478176.tif 000007